(57)【要約】【課題】組電池の寿命を考慮した組電池の制御を行うことができる蓄電システムの制御方法及び蓄電システム制御装置を提供する。【解決手段】複数の組電池３４のそれぞれの状態を示すパラメータ情報を取得し、取得したパラメータ情報を用いて複数の組電池３４のそれぞれの劣化レベルを判定し、判定された劣化レベルに基づいて、複数の組電池３４を複数のグループにグルーピングし、複数のグループに対して定められる、劣化レベルに応じた優先度が高い順にグループを指定し、指定されたグループに属する複数の組電池３４を、充電及び放電の少なくとも一方のために稼動させる。【選択図】図７
2016077139.tif 000002
【特許請求の範囲】
【請求項１】
複数の組電池を備える蓄電システムの制御方法であって、
前記複数の組電池のそれぞれの状態を示すパラメータ情報を取得し、
取得した前記パラメータ情報を用いて前記複数の組電池のそれぞれの劣化レベルを判定し、
判定された前記劣化レベルに基づいて、前記複数の組電池を複数のグループにグルーピングし、
前記複数のグループに対して定められる、劣化レベルに応じた優先度が高い順にグループを指定し、指定されたグループに属する組電池を、充電及び放電の少なくとも一方のために稼動させる、
蓄電システムの制御方法。
【請求項２】
前記蓄電システムにおいて所定の充電電力及び放電電力の少なくとも一方が得られるまで、前記優先度が高い順に前記複数のグループに含まれるグループを指定する、
請求項１に記載の蓄電システムの制御方法。
【請求項３】
指定されたグループの組電池に対して充電電力値及び放電電力値の少なくとも一方を設定し、
指定された前記グループのうち、優先度の高いグループに属する組電池ほど当該充電電力値及び放電電力値の少なくとも一方を高く設定する、
請求項２に記載の蓄電システムの制御方法。
【請求項４】
前記蓄電システムから負荷に電力が供給されているときに、最も優先度が高い第１のグループに属する組電池を稼動させて、当該蓄電システムから供給可能な電力が当該負荷の必要電力を満たすか否かを判断し、満たさない場合は当該第１のグループよりも優先度が低い第２のグループを指定し、指定された当該第１のグループ及び当該第２のグループに属する組電池を用いて電力を放電する、
請求項２または３に記載の蓄電システムの制御方法。
【請求項５】
さらに、
前記蓄電システムから負荷に電力が供給されているときに、前記負荷の必要電力よりも当該蓄電システムからの供給電力が小さくなる場合には、当該負荷への電力供給を停止する、
請求項１−４のいずれか１項に記載の蓄電システムの制御方法。
【請求項６】
さらに、
前記蓄電システムから複数の負荷に電力が供給されているときに、前記複数の負荷の必要電力よりも当該蓄電システムからの供給電力が小さくなる場合には、前記複数の負荷に対して定められる優先度が低い順に前記複数の負荷に含まれる負荷への電力供給を停止する、
請求項１−４のいずれか１項に記載の蓄電システムの制御方法。
【請求項７】
指定された前記グループに属する複数の組電池のうち、前記パラメータ情報が所定の条件を満たす組電池を、稼動させる組電池として選択する、
請求項１−６のいずれか１項に記載の蓄電システムの制御方法。
【請求項８】
前記パラメータ情報である温度、ＳＯＣ（Ｓｔａｔｅ  Ｏｆ  Ｃｈａｒｇｅ）、最終充電時刻及び最終放電時刻のうちの少なくとも１つが所定の条件を満たす組電池を稼動させる組電池として選択する、
請求項１−７のいずれか１項に記載の蓄電システムの制御方法。
【請求項９】
前記複数の組電池に対する充電電力値及び放電電力値の少なくとも一方の設定では、同じグループに属する複数の組電池のそれぞれの充電電力値及び放電電力値の少なくとも一方を、当該複数の組電池のＳＯＣが等しくなるように設定する、
請求項１−８のいずれか１項に記載の蓄電システムの制御方法。
【請求項１０】
前記複数のグループのうちの劣化レベルの高いグループほど、当該グループに属する組電池からの前記パラメータ情報の取得頻度を高くする、
請求項１−９のいずれか１項に記載の蓄電システムの制御方法。
【請求項１１】
前記蓄電システムから負荷に電力が供給されているときに、当該蓄電システムが備える前記複数の組電池のうちの稼動している少なくとも１つの組電池の劣化レベルが所定の閾値を超える場合に、
前記少なくとも１つの組電池の劣化レベルが所定の閾値を超えたことを報知し、
前記蓄電システムから前記負荷への電力供給を継続するか、または、停止するかの指示を受け付け、
受け付けた前記指示に応じて、前記蓄電システムから前記負荷への電力供給を継続または停止する、
請求項１−１０のいずれか１項に記載の蓄電システムの制御方法。
【請求項１２】
前記蓄電システムから前記負荷への電力供給を継続する場合には、前記複数の組電池に対する充電電力値及び放電電力値の少なくとも一方の設定を維持する、または、劣化レベルが所定の閾値を超えた前記少なくとも１つの組電池の前記充電電力値及び前記放電電力値の少なくとも一方を低く設定し、当該複数の組電池のうちの劣化レベルが所定の閾値を超えない組電池の前記充電電力値及び前記放電電力値の少なくとも一方を高く設定する、
請求項１１に記載の蓄電システムの制御方法。
【請求項１３】
前記複数のグループのうちの劣化レベルが高いグループほど、当該グループに属する組電池の充電電力値及び放電電力値の少なくとも一方を低く設定するか、または、高く設定するかの指示を受け付け、
受け付けた前記指示に応じて前記充電電力値及び前記放電電力値の少なくとも一方を設定する、
請求項１−１２のいずれか１項に記載の蓄電システムの制御方法。
【請求項１４】
通信ネットワークを介して、分散配置された複数の蓄電システムを制御する蓄電システムの制御方法であって、
前記複数の蓄電システムのそれぞれの状態を示す第１パラメータ情報を取得し、
取得した前記第１パラメータ情報を用いて前記複数の蓄電システムのそれぞれの劣化レベルを判定し、
判定された前記劣化レベルに基づいて、前記複数の蓄電システムを複数のグループにグルーピングし、
前記蓄電システムの複数のグループに対して定められる、前記劣化レベルに応じた優先度が高い順にグループを指定し、指定された当該グループに属する蓄電システムを、充電及び放電の少なくとも一方のために稼動させる、
蓄電システムの制御方法。
【請求項１５】
前記複数の蓄電システムのそれぞれが備える複数の組電池に対して、
前記複数の蓄電システムに含まれる蓄電システムが備える複数の組電池から当該複数の組電池のそれぞれの状態を示す第２パラメータ情報を取得し、
取得した前記第２パラメータ情報を用いて前記複数の組電池のそれぞれの第２劣化レベルを判定し、
前記複数の組電池のそれぞれについて判定された劣化レベルに基づいて、前記複数の組電池を複数のグループにグルーピングし、
前記組電池の複数のグループに対して定められる、前記劣化レベルに応じた優先度が高い順にグループを指定し、指定された当該グループに属する組電池を、電力を充電及び放電の少なくとも一方のために稼動させる、
請求項１４に記載の蓄電システムの制御方法。
【請求項１６】
前記複数の蓄電システム全体において所定の充電電力及び放電電力の少なくとも一方が得られるように、前記複数の蓄電システムにおいて負荷として含まれるバックアップ用の蓄電システムを当該バックアップ用の蓄電システムの最大稼働率の範囲内で稼動させる、
請求項１４または１５に記載の蓄電システムの制御方法。
【請求項１７】
前記複数の蓄電システム全体において所定の充電電力及び放電電力の少なくとも一方が得られない場合に、当該複数の蓄電システム全体において所定の充電電力及び放電電力の少なくとも一方が得られるように、前記バックアップ用の蓄電システムの最大稼働率を変更する、
請求項１６に記載の蓄電システムの制御方法。
【請求項１８】
通信ネットワークを介して、分散配置された複数の蓄電システムを制御する蓄電システム制御装置であって、
前記複数の蓄電システムのそれぞれの状態を示す第１パラメータ情報を取得する第１パラメータ取得部と、
取得した前記第１パラメータ情報を用いて前記複数の蓄電システムのそれぞれの劣化レベルを判定し、前記劣化レベルに基づいて、前記複数の蓄電システムを複数のグループにグルーピングする第１劣化判定部と、
前記蓄電システムの複数のグループに対して定められる、前記劣化レベルに応じた優先度が高い順にグループを指定し、指定された当該グループに属する蓄電システムを、充電及び放電の少なくとも一方のために稼動させる第１制御部とを備える、
蓄電システム制御装置。
【請求項１９】
複数の組電池を備える蓄電システムを制御する蓄電システム制御装置であって、
前記複数の組電池のそれぞれの状態を示す第２パラメータ情報を取得する第２パラメータ取得部と、
取得した前記第２パラメータ情報を用いて前記複数の組電池のそれぞれの劣化レベルを判定し、前記劣化レベルに基づいて、前記複数の組電池を複数のグループにグルーピングする第２劣化判定部と、
前記組電池の複数のグループに対して定められる、前記劣化レベルに応じた優先度が高い順にグループを指定し、指定された当該グループに属する組電池を、充電及び放電の少なくとも一方のために稼動させる第２制御部とを備える、
蓄電システム制御装置。
【発明の詳細な説明】
【技術分野】
【０００１】
本開示は、蓄電システムの制御方法及び蓄電システム制御装置に関する。
【背景技術】
【０００２】
蓄電システムは、蓄電システムを構成する複数の組電池のうちの１つでも劣化基準よりも劣化すると、停止して使えなくなる。しかし、蓄電システムを構成する全ての組電池が同じように劣化するわけではなく、複数の組電池のうち、最も劣化の大きい組電池により蓄電システムの性能が決定される。このため、劣化の小さい十分に使える組電池が蓄電システムを構成する複数の組電池に存在しても、劣化の大きい組電池が存在すると蓄電システムは停止して使えないため、利用者の使い勝手が悪い。
【０００３】
このような問題に対処するために、複数の二次電池が並列に接続された蓄電池の寿命を向上させる技術が提案されている（例えば、特許文献１参照）。具体的には、各二次電池の電池劣化指数を比較し、電池劣化指数の小さい二次電池の充放電電力が大きく、電池劣化指数の大きい二次電池の充放電電力が小さくなるように、各二次電池への要求充放電電力を設定することで、蓄電池の寿命を向上させる。
【先行技術文献】
【特許文献】
【０００４】
【特許文献１】特開２００９−４４８６２号公報
【発明の概要】
【発明が解決しようとする課題】
【０００５】
上記従来の複数の組電池を備える蓄電システムの制御技術は改善の余地があった。
【０００６】
上記事情に鑑み、限定的でない例示的なある実施形態は、複数の組電池を備える蓄電システムにおいて、従来よりも改善された蓄電システムの制御方法及び蓄電システム制御装置を提供する。
【課題を解決するための手段】
【０００７】
本開示の蓄電システムの制御方法は、複数の組電池を備える蓄電システムの制御方法であって、複数の組電池のそれぞれの状態を示すパラメータ情報を取得し、取得したパラメータ情報を用いて複数の組電池のそれぞれの劣化レベルを判定し、判定された劣化レベルに基づいて、複数の組電池を複数のグループにグルーピングし、複数のグループに対して定められる、劣化レベルに応じた優先度が高い順にグループを指定し、指定されたグループに属する組電池を、充電及び放電の少なくとも一方のために稼動させる組電池として選択する。
【０００８】
なお、これらの包括的または具体的な側面は、システム、装置、方法、記録媒体、または、コンピュータプログラムで実現されてもよく、システム、装置、方法、記録媒体、及び、コンピュータプログラムの任意な組み合わせで実現されてもよい。
【発明の効果】
【０００９】
本開示によれば、従来よりも改善された蓄電システムの制御方法及び蓄電システム制御装置を提供することができる。
【図面の簡単な説明】
【００１０】
【図１】図１は、実施の形態１における分散型蓄電システムの構成図である。
【図２】図２は、実施の形態１における蓄電システムを構成する組電池を示す図である。
【図３】図３は、実施の形態１におけるハードウェア構成図である。
【図４Ａ】図４Ａは、実施の形態１におけるクラウドサーバの制御部の機能ブロック図である。
【図４Ｂ】図４Ｂは、実施の形態１におけるコントローラの制御部の機能ブロック図である。
【図４Ｃ】図４Ｃは、実施の形態１における蓄電システムのＢＭＵの機能ブロック図である。
【図５】図５は、実施の形態１における劣化レベルによるグルーピングのテーブルを示す図である。
【図６】図６は、実施の形態１におけるグループに応じて設定される組電池の制御を示す図である。
【図７】図７は、実施の形態１における全体の処理の流れを示すシーケンス図である。
【図８】図８は、実施の形態１における稼動させる組電池及び稼動させない組電池を選択する方法を示すフローチャートである。
【図９】図９は、実施の形態１における組電池の選択を示す図である。
【図１０】図１０は、実施の形態１における選択された組電池の放電量の割当を示す図である。
【図１１】図１１は、実施の形態２における分散型蓄電システムの構成図である。
【図１２】図１２は、実施の形態２におけるＭＢＭＵに制御される複数の蓄電システムを示す図である。
【図１３】図１３は、実施の形態２におけるクラウドサーバの制御部の機能ブロック図である。
【図１４】図１４は、実施の形態２における全体の処理の流れを示すシーケンス図である。
【図１５】図１５は、実施の形態２における稼動させる蓄電システム及び稼動させない蓄電システムを選択する方法を示すフローチャートである。
【図１６】図１６は、負荷による調整の例について示す図である。
【発明を実施するための形態】
【００１１】
（本開示の一態様を得るに至った経緯）
マンションまたは工場などに蓄電システムが設けられ、商用電源の停電時のバックアップ電源、ピークカットまたはピークシフト、デマンドレスポンス及び電力の予備力確保の用途などでの蓄電システムの利用が見込まれている。特に、蓄電システムは、長寿命の運転ができ、また、容易に組電池の交換ができる蓄電池制御技術が望まれている。蓄電システムは、蓄電システムを構成する複数の組電池のうちの１つでも劣化基準（例えば、ＳＯＨ（Ｓｔａｔｅ  Ｏｆ  Ｈｅａｌｔｈ）が６０％）よりも劣化すると停止して使えなくなる。しかし、蓄電システムを構成する全ての組電池が同じように劣化するわけではなく、劣化の小さい十分に使える組電池が蓄電システムを構成する複数の組電池に存在しても、劣化の大きい組電池が存在すると蓄電システムは停止して使えないため、利用者の使い勝手が悪い。
【００１２】
例えば、特許文献１の技術では、組電池の全数稼動が前提であり、組電池が劣化してしまう状況であっても組電池は全数稼動し、不必要に組電池は劣化する。また、組電池の数が増えていくことで、不必要に劣化する組電池が増え、組電池の交換の頻度が高くなり、組電池の交換の手間がかかる。
【００１３】
不必要な電池劣化を抑えた組電池の管理により、組電池の交換の頻度及び交換の手間を下げるためには、稼動させる組電池と稼動させない組電池とを選択できるようにする必要がある。また、組電池の数が増えていくことで稼動させる個数の決定が難しくなる。
【００１４】
これに対して本開示の発明者らは、組電池の数が増えていくことで稼動させる個数の決定が難しくなることに対し、グルーピングすることで、稼動させる組電池と稼動させない組電池との選択を容易にした。これにより、大規模な蓄電システムへの適用も容易になった。
【００１５】
より具体的には、本開示の第１形態は、複数の組電池を備える蓄電システムの制御方法であって、複数の組電池のそれぞれの状態を示すパラメータ情報を取得し、取得したパラメータ情報を用いて複数の組電池のそれぞれの劣化レベルを判定し、判定された劣化レベルに基づいて、複数の組電池を複数のグループにグルーピングし、複数のグループに対して定められる、劣化レベルに応じた優先度が高い順にグループを指定し、指定されたグループに属する組電池を、充電及び放電の少なくとも一方のために稼動させる組電池として選択する、蓄電システムの制御方法である。
【００１６】
これにより、組電池の個数の多い大規模蓄電システムにおいて、寿命を考慮した組電池の制御を従来よりも容易に行うことができるため、利用者の蓄電システムの使い勝手を向上させることができる。
【００１７】
また、本開示の第２形態は、上記第１形態において、蓄電システムにおいて所定の充電電力及び放電電力の少なくとも一方が得られるまで、優先度が高い順に複数のグループに含まれるグループを指定する、蓄電システムの制御方法であってもよい。
【００１８】
これにより、所定の充電電力及び放電電力の少なくとも一方が得られるまで優先度が高い順に複数のグループに含まれるグループが指定され、組電池の寿命を考慮した組電池の制御を行うことができるため、利用者の蓄電システムの使い勝手を向上させることができる。
【００１９】
また、本開示の第３形態は、上記第２形態において、指定されたグループの組電池に対して充電電力値及び放電電力値の少なくとも一方を設定し、指定されたグループのうち、優先度の高いグループに属する組電池ほど充電電力値及び放電電力値の少なくとも一方を高く設定する、蓄電システムの制御方法であってもよい。
【００２０】
これにより、優先度の高いグループに属する組電池ほど充電電力値及び放電電力値の少なくとも一方が高く設定され、組電池の寿命を考慮した組電池の制御を行うことができるため、利用者の蓄電システムの使い勝手を向上させることができる。
【００２１】
また、本開示の第４形態は、上記第２形態または第３形態において、蓄電システムから負荷に電力が供給されているときに、最も優先度が高い第１のグループに属する組電池を稼動させて、蓄電システムから供給可能な電力が負荷の必要電力を満たすか否かを判断し、満たさない場合は第１のグループよりも優先度が低い第２のグループを指定し、指定された第１のグループ及び第２のグループに属する組電池を用いて電力を放電する、蓄電システムの制御方法であってもよい。
【００２２】
これにより、負荷の必要電力を満たすために必要最低限なグループの組電池が選択され、組電池の寿命を考慮した組電池の制御を行うことができるため、利用者の蓄電システムの使い勝手を向上させることができる。
【００２３】
また、本開示の第５形態は、第１形態−第４形態のいずれか１つにおいて、蓄電システムから負荷に電力が供給されているときに、負荷の必要電力よりも蓄電システムからの供給電力が小さくなる場合には、負荷への電力供給を停止する、蓄電システムの制御方法であってもよい。
【００２４】
これにより、負荷の必要電力よりも蓄電システムからの供給電力が小さくなる場合には、負荷への電力供給を停止できる。
【００２５】
また、本開示の第６形態は、第１形態−第４形態のいずれか１つにおいて、蓄電システムから複数の負荷に電力が供給されているときに、複数の負荷の必要電力よりも蓄電システムからの供給電力が小さくなる場合には、複数の負荷に対して定められる優先度が低い順に複数の負荷に含まれる負荷への電力供給を停止する、蓄電システムの制御方法であってもよい。
【００２６】
これにより、複数の負荷の必要電力よりも蓄電システムからの供給電力が小さくなる場合には、利用者が定めた優先度の低い負荷への電力供給を停止し、優先度の高い負荷に安定して電力を供給できる。
【００２７】
また、本開示の第７形態は、第１形態−第６形態のいずれか１つにおいて、指定されたグループに属する複数の組電池のうち、パラメータ情報が所定の条件を満たす組電池を、稼動させる組電池として選択する、蓄電システムの制御方法であってもよい。
【００２８】
これにより、同一グループに属する組電池を全数稼動させる場合に比べ、組電池の寿命を考慮した制御が実現できる。
【００２９】
また、本開示の第８形態は、第１形態−第７形態のいずれか１つにおいて、パラメータ情報である温度、ＳＯＣ（Ｓｔａｔｅ  Ｏｆ  Ｃｈａｒｇｅ）、最終充電時刻及び最終放電時刻のうちの少なくとも１つが所定の条件を満たす組電池を稼動させる組電池として選択する、蓄電システムの制御方法であってもよい。
【００３０】
これにより、組電池は不必要に劣化されない。
【００３１】
また、本開示の第９形態は、第１形態−第８形態のいずれか１つにおいて、複数の組電池に対する充電電力値及び放電電力値の少なくとも一方の設定では、同じグループに属する複数の組電池のそれぞれの充電電力値及び放電電力値の少なくとも一方を、複数の組電池のＳＯＣが等しくなるように設定する、蓄電システムの制御方法であってもよい。
【００３２】
これにより、組電池は不必要に劣化されない。
【００３３】
また、本開示の第１０形態は、第１形態−第９形態のいずれか１つにおいて、複数のグループのうちの劣化レベルの高いグループほど、グループに属する組電池からのパラメータ情報の取得頻度を高くする、蓄電システムの制御方法であってもよい。
【００３４】
これにより、安全性の低い劣化レベルの高いグループの組電池のパラメータ情報の取得頻度が高くなるため、蓄電システムの安全性を高めることができる。
【００３５】
また、本開示の第１１形態は、第１形態−第１０形態のいずれか１つにおいて、蓄電システムから負荷に電力が供給されているときに、蓄電システムが備える複数の組電池のうちの稼動している少なくとも１つの組電池の劣化レベルが所定の閾値を超える場合に、少なくとも１つの組電池の劣化レベルが所定の閾値を超えたことを報知し、蓄電システムから負荷への電力供給を継続するか、または、停止するかの指示を受け付け、受け付けた指示に応じて、蓄電システムから負荷への電力供給を継続または停止する、蓄電システムの制御方法であってもよい。
【００３６】
これにより、利用者は、組電池の劣化レベルが所定の閾値を超えたことを知ることができる。また、利用者は、蓄電システムから負荷への電力供給を継続するか、または、停止するかを指示することができる。
【００３７】
また、本開示の第１２形態は、第１１形態において、蓄電システムから負荷への電力供給を継続する場合には、複数の組電池に対する充電電力値及び放電電力値の少なくとも一方の設定を維持する、または、劣化レベルが所定の閾値を超えた少なくとも１つの組電池の充電電力値及び放電電力値の少なくとも一方を低く設定し、複数の組電池のうちの劣化レベルが所定の閾値を超えない組電池の充電電力値及び放電電力値の少なくとも一方を高く設定する、蓄電システムの制御方法であってもよい。
【００３８】
これにより、通常では稼動されない組電池から負荷への電力供給を継続できる。
【００３９】
また、本開示の第１３形態は、第１形態−第１２形態のいずれか１つにおいて、複数のグループのうちの劣化レベルが高いグループほど、グループに属する組電池の充電電力値及び放電電力値の少なくとも一方を低く設定するか、または、高く設定するかの指示を受け付け、受け付けた指示に応じて充電電力値及び放電電力値の少なくとも一方を設定する、蓄電システムの制御方法であってもよい。
【００４０】
これにより、利用者は、用途に応じて組電池の充電電力値及び放電電力値の少なくとも一方を低く設定するか、または、高く設定するかの指示ができる。
【００４１】
また、本開示の第１４形態は、本開示の蓄電システムの制御方法は、通信ネットワークを介して、分散配置された複数の蓄電システムを制御する蓄電システムの制御方法であって、複数の蓄電システムのそれぞれの状態を示す第１パラメータ情報を取得し、取得した第１パラメータ情報を用いて複数の蓄電システムのそれぞれの劣化レベルを判定し、判定された劣化レベルに基づいて、複数の蓄電システムを複数のグループにグルーピングし、蓄電システムの複数のグループに対して定められる、劣化レベルに応じた優先度が高い順にグループを指定し、指定されたグループに属する蓄電システムを、充電及び放電の少なくとも一方のために稼動させる、蓄電システムの制御方法である。
【００４２】
これにより、蓄電システムの寿命を考慮した蓄電システムの制御を行うことができるため、利用者の蓄電システム全体の使い勝手を向上させることができる。
【００４３】
また、本開示の第１５形態は、第１４形態において、複数の蓄電システムのそれぞれが備える複数の組電池に対して、複数の蓄電システムに含まれる蓄電システムが備える複数の組電池から複数の組電池のそれぞれの状態を示す第２パラメータ情報を取得し、取得した第２パラメータ情報を用いて複数の組電池のそれぞれの劣化レベルを判定し、複数の組電池のそれぞれについて判定された劣化レベルに基づいて、複数の組電池を複数の組電池グループにグルーピングし、組電池の複数のグループに対して定められる、劣化レベルに応じた優先度が高い順にグループを指定し、指定された組電池グループに属する組電池を、充電及び放電の少なくとも一方のために稼動させる、蓄電システムの制御方法であってもよい。
【００４４】
これにより、組電池の寿命を考慮した蓄電システムの制御を行うことができるため、利用者の蓄電システム全体の使い勝手を向上させることができる。
【００４５】
また、本開示の第１６形態は、第１４形態または第１５形態において、複数の蓄電システム全体において所定の充電電力及び放電電力の少なくとも一方が得られるように、複数の蓄電システムにおいて負荷として含まれるバックアップ用の蓄電システムをバックアップ用の蓄電システムの最大稼働率の範囲内で稼動してもよい。
【００４６】
これにより、蓄電システムはバックアップ用の蓄電システムとして使用できる。
【００４７】
また、本開示の第１７形態は、第１６形態において、複数の蓄電システム全体において所定の充電電力及び放電電力の少なくとも一方が得られない場合に、複数の蓄電システム全体において所定の充電電力及び放電電力の少なくとも一方が得られるように、バックアップ用の蓄電システムの最大稼働率を変更してもよい。
【００４８】
これにより、複数の蓄電システム全体において所定の充電電力及び放電電力の少なくとも一方が得られない場合に、バックアップ用の蓄電システムの最大稼働率を変更することで、所定の充電電力及び放電電力の少なくとも一方を得ることができる。
【００４９】
また、本開示の第１８形態は、通信ネットワークを介して、分散配置された複数の蓄電システムを制御する蓄電システム制御装置であって、複数の蓄電システムのそれぞれの状態を示す第１パラメータ情報を取得する第１パラメータ取得部と、取得した第１パラメータ情報を用いて複数の蓄電システムのそれぞれの劣化レベルを判定し、劣化レベルに基づいて、複数の蓄電システムを複数のグループにグルーピングする第１劣化判定部と、複数のグループに対して定められる、劣化レベルに応じた優先度が高い順にグループを指定し、指定されたグループに属する蓄電システムのうち、第１パラメータ情報が所定の条件を満たす蓄電システムを、充電及び放電の少なくとも一方のために稼動させる蓄電システムとして選択する第１制御部とを備える、蓄電システム制御装置であってもよい。
【００５０】
これにより、大規模蓄電システムにおいて、蓄電システムの寿命を考慮した蓄電システムの制御を行うことができるため、利用者の蓄電システム全体の使い勝手を向上させることができる。
【００５１】
また、本開示の第１９形態は、複数の組電池を備える蓄電システムを制御する蓄電システム制御装置であって、複数の組電池のそれぞれの状態を示す第２パラメータ情報を取得する第２パラメータ取得部と、取得した第２パラメータ情報を用いて複数の組電池のそれぞれの劣化レベルを判定し、劣化レベルに基づいて、複数の組電池を複数のグループにグルーピングする第２劣化判定部と、複数のグループに対して定められる、劣化レベルに応じた優先度が高い順にグループを指定し、指定されたグループに属する複数の組電池のうち、第２パラメータ情報が所定の条件を満たす組電池を、充電及び放電の一方のために稼動させる組電池として選択する第２制御部とを備える、蓄電システム制御装置であってもよい。
【００５２】
これにより、大規模蓄電システムにおいて、組電池の寿命を考慮した組電池の制御を行うことができるため、利用者の蓄電システムの使い勝手を向上させることができる。
【００５３】
以下、実施の形態について、図面を参照しながら具体的に説明する。
【００５４】
なお、以下で説明する実施の形態は、いずれも包括的または具体的な例を示すものである。以下の実施の形態で示される数値、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。
【００５５】
（実施の形態１）
以下、図１〜図１０を用いて、実施の形態１を説明する。
【００５６】
図１は、実施の形態１における分散型蓄電システム１の構成図である。
【００５７】
本実施の形態における分散型蓄電システム１は、複数の需要家１０、クラウドサーバ８０、管理室９０及びメンテナンス会社１００を備える。
【００５８】
需要家１０は、一戸建、集合住宅、オフィスビル、電力会社または電力アグリゲータなどが想定され、蓄電システム３０から電力を供給される。需要家１０は、コントローラ２０、蓄電システム３０、表示装置４０、電力メータ５０、開閉器６０及び負荷７０から構成される。
【００５９】
コントローラ２０は、蓄電システム３０、表示装置４０、電力メータ５０及び開閉器６０を制御する。
【００６０】
蓄電システム３０は、開閉器６０が開いているときに負荷７０へ電力供給を行う。また、蓄電システム３０が負荷７０に供給する電力は、需要家１０毎に順に配電される。
【００６１】
表示装置４０は、需要家１０が所有する端末などであり、例えば、スマートフォン、テレビまたはＰＣ（Ｐｅｒｓｏｎａｌ  Ｃｏｍｐｕｔｅｒ）などである。表示装置４０は、コントローラ２０での処理状態を表示する。なお、表示装置４０は、開閉器６０または蓄電システム３０などの動作状態、または、負荷７０の電力消費量、などの情報を表示してもよい。
【００６２】
電力メータ５０は、需要家１０の電力消費量を計測する。
【００６３】
開閉器６０は、停電時または電力逼迫時に蓄電システム３０から負荷７０に電力供給を行うか否かを制御される。
【００６４】
負荷７０は、平常時には電力系統１１０から電力が供給され、停電時または電力逼迫時には蓄電システム３０から電力が供給される。なお、蓄電システム３０に接続される負荷７０と接続されない負荷７０とが混在してもよい。
【００６５】
クラウドサーバ８０は、需要家１０から得られた情報を管理室９０及びメンテナンス会社１００の端末上で表示できるように整形する。
【００６６】
管理室９０は、クラウドサーバ８０から得られた情報により蓄電システム３０が安全な状態か否かを確認する。
【００６７】
メンテナンス会社１００は、クラウドサーバ８０から得られた情報により蓄電システム３０にメンテナンスが必要か否かを確認する。
【００６８】
図２は、実施の形態１における蓄電システム３０を構成する組電池を示す図である。
【００６９】
図２に示されるように、蓄電システム３０は、複数の組電池から構成される。ここでは、蓄電システム３０は、組電池Ｎｏ．１〜Ｎｏ．６から構成される。図２では、各組電池の例えばＳＯＨの値で各組電池は劣化レベルによるグルーピングが行われる。図２では、例えばＡ〜Ｃの３つのグループに各組電池はグルーピングされる。なお、本実施の形態ではＳＯＨが用いられるが、ＳＯＨと対応付けられて算出される内部抵抗が用いられてもよく、内部抵抗が大きいほどＳＯＨが小さく組電池の劣化は大きく、内部抵抗が小さいほどＳＯＨが大きく組電池の劣化は小さい。
【００７０】
図３は、実施の形態１におけるハードウェア構成図である。
【００７１】
コントローラ２０は、制御部２１と通信部２２とメモリ２３とから構成される。なお、図１で示される表示装置４０は、需要家１０が所有する端末などに限らず、コントローラ２０が内蔵してもよく、コントローラ２０での処理状態を表示してもよい。
【００７２】
制御部２１は、通信部２２を介して蓄電システム３０、電力メータ５０及び開閉器６０を制御する。
【００７３】
通信部２２は、蓄電システム３０、クラウドサーバ８０、電力メータ５０及び開閉器６０と通信を行う。
【００７４】
メモリ２３は、データ及びプログラムなどの情報を記憶する。
【００７５】
蓄電システム３０は、ＢＭＵ（Ｂａｔｔｅｒｙ  Ｍａｎａｇｅｍｅｎｔ  Ｕｎｉｔ）３１、通信部３２、メモリ３３及び複数の組電池３４から構成される。なお、図１で示される表示装置４０は、需要家１０が所有する端末などに限らず、蓄電システム３０が内蔵してもよい。
【００７６】
ＢＭＵ３１は、複数の組電池３４を制御する。
【００７７】
通信部３２は、コントローラ２０と通信を行う。なお、通信部３２は、クラウドサーバ８０の通信部８２と通信を行ってもよい。
【００７８】
メモリ３３は、データ及びプログラムなどの情報を記憶する。
【００７９】
複数の組電池３４は、二次電池などの同じ種類の電池が複数個パックされた組電池である。
【００８０】
クラウドサーバ８０は、制御部８１、通信部８２及びメモリ８３から構成される。
【００８１】
制御部８１は、管理室９０及びメンテナンス会社１００の端末である例えばＰＣに制御部８１で生成したデータを実行させ、ＰＣのモニターに表示させる。
【００８２】
通信部８２は、コントローラ２０、管理室９０及びメンテナンス会社１００と通信を行う。なお、通信部８２は、蓄電システム３０と通信を行ってもよく、また、電力メータ５０と通信を行って電力メータ５０から電力データを収集してもよい。
【００８３】
メモリ８３は、データ及びプログラムなどの情報を記憶する。
【００８４】
なお、通信部２２、３２及び８２では、インターネット、ＬＡＮ（Ｌｏｃａｌ  Ａｒｅａ  Ｎｅｔｗｏｒｋ）、ＲＳ（Ｒｅｃｏｍｍｅｎｄｅｄ  Ｓｔａｎｄａｒｄ）４２２またはＵＳＢ（Ｕｎｉｖｅｒｓａｌ  Ｓｅｒｉａｌ  Ｂｕｓ）などが、適用用途または適用先に応じて使い分けられてもよい。
【００８５】
図４Ａは、実施の形態１におけるクラウドサーバ８０の制御部８１の機能ブロック図である。
【００８６】
クラウドサーバ８０の制御部８１は、稼働状況取得部８４、表示データ生成部８５及び表示データ送信部８６から構成される。
【００８７】
稼働状況取得部８４は、複数の組電池３４のそれぞれのＳＯＣ（Ｓｔａｔｅ  Ｏｆ  Ｃｈａｒｇｅ）または蓄電システム３０の異常などの蓄電システム３０の稼動状態に関わる情報を取得する。蓄電システム３０の異常とは、例えば、パワコン、ＢＭＵ３１、組電池３４、コントローラ２０及び電力系統１１０のハード・ソフト異常、または、点検必要年数経過時のことである。
【００８８】
表示データ生成部８５は、クラウドサーバ８０で得られた各種情報を抽出して、管理室９０及びメンテナンス会社１００のＰＣのモニターで表示できるように整形を行う。
【００８９】
表示データ送信部８６は、整形したデータを管理室９０及びメンテナンス会社１００へ通信部８２から送信させる。
【００９０】
図４Ｂは、実施の形態１におけるコントローラ２０の制御部２１の機能ブロック図である。
【００９１】
コントローラ２０の制御部２１は、第２パラメータ取得部２４、第２劣化判定部２５、第２制御部２６、消費電力取得部２７、開閉器制御部２８、表示データ生成部４１及び表示データ送信部４２から構成される。
【００９２】
第２パラメータ取得部２４は、複数の組電池３４から複数の組電池３４のそれぞれの状態を示すパラメータ情報を取得する。複数の組電池３４のそれぞれの状態を示すパラメータ情報とは、例えば、複数の組電池３４のそれぞれの電流、電圧、温度、ＳＯＣ及び最終充電からの時間のことである。なお、第２パラメータ取得部２４は、パラメータ情報としてＳＯＨを取得してもよい。
【００９３】
第２劣化判定部２５は、第２パラメータ取得部２４が取得したパラメータ情報を用いて複数の組電池３４のそれぞれの劣化レベルを判定する。つまり、第２劣化判定部２５は、内部抵抗及びＳＯＨを第２パラメータ取得部２４が取得した複数の組電池３４のそれぞれの電流、電圧、温度から算出する。第２劣化判定部２５は、第２パラメータ取得部２４が取得した組電池３４の電流、電圧及び温度を用いて、複数の組電池３４のそれぞれの劣化レベルとしてＳＯＨ、電圧、温度及び内部抵抗のうちの１つ以上を判定する。本実施の形態では、組電池３４の劣化レベルはＳＯＨで表現される。また、第２劣化判定部２５は、判定した劣化レベルに基づいて、複数の組電池３４を複数の劣化レベルに対応する複数のグループにグルーピングする。
【００９４】
第２制御部２６は、複数のグループに対して定められる、劣化レベルに応じた優先度が高い順にグループを指定し、指定されたグループに属する組電池を充電及び放電の少なくとも一方のために稼動させる。なお、第２制御部２６は、指定されたグループに属する複数の組電池３４のうち、パラメータ情報が所定の条件を満たす組電池３４を、充電及び放電の少なくとも一方のために稼動させる組電池３４として選択してもよい。また、第２制御部２６は、稼動させる組電池３４に対して充電電力値及び放電電力値の少なくとも一方を設定する。充電電力値及び放電電力値の少なくとも一方の設定では、指定されたグループにおいて、優先度の高いグループに属する組電池３４ほど充電電力値及び放電電力値の少なくとも一方が高く設定される。ここで、充電電力値とは、充電レート、放電電力値とは放電レートのことであってもよい。
【００９５】
消費電力取得部２７は、電力メータ５０から電力データを収集する。
【００９６】
開閉器制御部２８は、開閉器６０の開閉制御を行う。
【００９７】
表示データ生成部４１は、コントローラ２０で得られた各種情報を抽出して、表示装置４０で表示できるように整形を行う。
【００９８】
表示データ送信部４２は、表示データ生成部４１で整形したデータを表示装置４０及びクラウドサーバ８０へ通信部３２から送信させる。
【００９９】
蓄電システム３０のＢＭＵ３１は、パラメータ検出部３５、パラメータ送信部３６、制御信号取得部３７及び第３制御部３８から構成される。
【０１００】
図４Ｃは、実施の形態１における蓄電システム３０のＢＭＵ３１の機能ブロック図である。
【０１０１】
パラメータ検出部３５は、複数の組電池３４のそれぞれのパラメータ情報を検出する。なお、パラメータ検出部３５は、複数の組電池３４のそれぞれの電流、電圧、温度からＳＯＨを算出してもよい。
【０１０２】
パラメータ送信部３６は、検出された複数の組電池３４のそれぞれのパラメータ情報をコントローラ２０に通信部３２から送信させる。
【０１０３】
制御信号取得部３７は、コントローラ２０から組電池３４への制御信号を取得する。
【０１０４】
第３制御部３８は、制御信号取得部３７で得られた制御信号に基づき、組電池３４に対する制御を行う。
【０１０５】
なお、本実施の形態では、第２パラメータ取得部２４、第２劣化判定部２５及び第２制御部２６はコントローラ２０の制御部２１に構成されたが、これに限らない。例えば、第２パラメータ取得部２４、第２劣化判定部２５及び第２制御部２６はクラウドサーバ８０の制御部８１に構成されてもよい。この場合、パラメータ送信部３６は、検出された複数の組電池３４のそれぞれのパラメータ情報をクラウドサーバ８０に通信部３２から送信させてもよく、制御信号取得部３７は、クラウドサーバ８０から組電池３４への制御信号を取得してもよい。
【０１０６】
また、本実施の形態では、コントローラ２０は蓄電システム３０と別体に構成されたが、これに限らない。例えば、コントローラ２０は、蓄電システム３０と一体に構成されてもよい。また、ＢＭＵ３１がコントローラ２０の制御部２１の機能を備えてもよい。
【０１０７】
図５は、実施の形態１における劣化レベルによるグルーピングのテーブルを示す図である。
【０１０８】
図５では、組電池３４の劣化レベルのグループは、例えばＡ〜Ｃの３つのグループにグルーピングされている。グルーピングの基準としては、図５の基準１で示されるように、例えばＳＯＨを用いる方法があり、図５では、ＳＯＨが８０％以上の組電池３４がＡグループ、ＳＯＨが６０％〜８０％の組電池３４がＢグループ、ＳＯＨが６０％未満の組電池３４がＣグループにグルーピングされる。ＳＯＨの値が小さいほど、組電池３４が劣化している。また、図５の基準２で示されるように、例えば組電池３４から収集した電流・電圧・温度に関する情報から算出した内部抵抗を用いる方法がある。図５では、内部抵抗が規定値内の組電池３４がＡグループ、内部抵抗が規定値の１．６倍を超える組電池３４がＢグループ、内部抵抗が規定値の２倍以上であり、温度上昇量や電圧低下量が規定値以上の組電池３４がＣグループにグルーピングされる。なお、第２劣化判定部２５は、組電池３４が充放電されているか否かを判定し、組電池３４が充放電されているときは、少なくとも、電流値または、環境温度の値に基づき、グループとグループとの間の閾値を補正してもよい。例えば、ＳＯＨは温度が高くなると小さくなるため、温度に応じて、図５の基準１のＳＯＨの閾値を補正してもよい。また、内部抵抗は温度が高くなると小さくなるため、温度に応じて、図５の基準２の内部抵抗の閾値を補正してもよい。また、電流値が大きくなると温度が高くなるため、電流値に応じて、図５の基準２の温度の閾値を補正してもよい。
【０１０９】
このように、複数の組電池３４は図５に示すようなテーブルに基づいて劣化レベルに対応するグループにグルーピングされる。なお、本実施の形態では、テーブルはコントローラ２０のメモリ２３に記憶されるが、これに限らない。例えばクラウドサーバ８０のメモリ８３に記憶されてもよい。
【０１１０】
図６は、実施の形態１におけるグループに応じて設定される組電池３４の制御を示す図である。
【０１１１】
Ａグループに属する組電池３４は、所定の基準の充電レートまたは放電レートで充電電力値及び放電電力値の少なくとも一方が設定される。Ｂグループに属する組電池３４は、基準レートよりも低いレート、例えば基準レートの０．５倍の充電電力値及び放電電力値の少なくとも一方が設定される。なお、蓄電システム３０の利用者に対して、空調及び蓄電システムファンの清掃点検のアドバイスが行われてもよい。Ｃグループに属する組電池３４は、稼動が停止される、または、最小の充電レートまたは放電レートで充放電が行われる充電電力値及び放電電力値の少なくとも一方が設定される。なお、組電池３４は、充電電力値及び放電電力値の少なくとも一方が０に設定されることで組電池３４の稼動が停止されてもよい。また、組電池３４の交換アドバイスまたはＢＭＵファームの更新のアドバイスが利用者に対して行われてもよい。
【０１１２】
なお、グループに応じて設定される組電池３４の制御は充電電力値及び放電電力値の少なくとも一方に関する制御だけでなく、充放電回数または充放電時間を加味する制御が行われてもよい。
【０１１３】
次に、図１〜図４のように構成された本実施の形態における分散型蓄電システム１の動作について説明する。
【０１１４】
図７は、実施の形態１における全体の処理の流れを示すシーケンス図である。
【０１１５】
まず、ＢＭＵ３１のパラメータ検出部３５は、複数の組電池３４から複数の組電池３４のそれぞれの状態を示すパラメータ情報を検出する（Ｓ１００）。具体的には、パラメータ検出部３５は、複数の組電池３４のそれぞれの電流、電圧、温度、ＳＯＣ及び最終充電からの時間に関する情報を取得する。後述するグルーピングによる複数のグループのうちの劣化レベルの高いグループに属する組電池３４ほど、組電池３４からのパラメータ情報の取得頻度を高くすることで、劣化判定処理を効率よく行うことが可能となる。また、安全性の低い劣化レベルの高いグループに属する組電池３４のパラメータ情報の取得頻度が高くなるため、蓄電システム３０の安全性が高められる。
【０１１６】
ＢＭＵ３１のパラメータ送信部３６は、複数の組電池３４のそれぞれのパラメータ情報をコントローラ２０に送信する（Ｓ１０１）。
【０１１７】
コントローラ２０の第２パラメータ取得部２４は、複数の組電池３４から検出された複数の組電池３４のそれぞれの状態を示すパラメータ情報を取得する。コントローラ２０の第２劣化判定部２５は、第２パラメータ取得部２４が取得したパラメータ情報を用いて複数の組電池３４のそれぞれの劣化レベルを判定し、判定した劣化レベルに基づいて、複数の組電池３４を複数の劣化レベルに対応する複数のグループにグルーピングする（Ｓ１０２）。
【０１１８】
次に、ステップＳ１０３では以下の処理が行われる。コントローラ２０の第２制御部２６は、複数のグループに対して定められる、劣化レベルに応じた優先度が高い順にグループを指定する。そして、第２制御部２６は、指定されたグループに属する複数の組電池３４のうち、パラメータ情報が所定の条件を満たす組電池３４を、充電及び放電の少なくとも一方のために稼動させる組電池３４として選択する。さらに、第２制御部２６は、稼動させる組電池３４として選択された組電池３４に対して充電電力値及び放電電力値の少なくとも一方を設定する。充電電力値及び放電電力値の少なくとも一方の設定では、稼動させる組電池３４として選択された組電池３４が属するグループにおいて、優先度の高いグループに属する組電池３４ほど充電電力値及び放電電力値の少なくとも一方が高く設定される。最後に、コントローラ２０の表示データ送信部４２は蓄電システム３０の稼働状況に関する情報をクラウドサーバ８０に対して送信する。組電池３４の選択方法については、後述する図８に示されるフローチャートで説明する。
【０１１９】
また、第２制御部２６は、稼動させる組電池３４として選択した組電池３４を制御するために、ＢＭＵ３１に組電池３４の制御信号を送信する（Ｓ１０４）。
【０１２０】
ＢＭＵ３１の制御信号取得部３７は、設定された充電電力値及び放電電力値の少なくとも一方に基づき、稼動させる組電池３４の充放電量の制御を行う（Ｓ１０５）。
【０１２１】
ステップＳ１０６では以下の処理が行われる。クラウドサーバ８０の稼働状況取得部８４は、蓄電システム３０の稼働状況に関する情報を取得する。次に、クラウドサーバ８０の表示データ生成部８５は、稼働状況取得部８４で得られた情報を管理室９０のＰＣのモニターで表示できるように整形を行う。最後に、クラウドサーバ８０の表示データ送信部８６は、整形したデータを管理室９０に送信する。
【０１２２】
コントローラ２０の開閉器制御部２８は、例えば、予め負荷７０毎に必要な定格電流値を計測しておき、蓄電システム３０から負荷７０への供給電力が不足する場合には、開閉器６０を制御することで、蓄電システム３０からの電力供給量を抑制する。より具体的には、適切に開閉器６０の制御を行うために、負荷７０毎の定格電流値及び突入電流値をカタログなどから取得、或いは、計測器などで計測し、事前に収集しておく。そして、負荷７０の定格電流値または突入電流値の大きい順、または小さい順に負荷７０へ電力を供給するように、開閉器６０は制御される。
【０１２３】
開閉器制御部２８は、安全性の確保を行うために、管理室９０に対して、開閉器制御部２８が実行しようとしている開閉器６０の制御の可否を通知する（Ｓ１０７）。
【０１２４】
管理室９０は、蓄電システム３０の稼働状況に関する情報と開閉器制御部２８が実行しようとしている開閉器６０の制御とから安全性が確保されるようにコントローラ２０に開閉器６０の制御信号を送信する（Ｓ１０８）。
【０１２５】
開閉器制御部２８は、管理室９０からの指示に従い開閉器６０の制御信号を開閉器６０に送信する（Ｓ１０９）。
【０１２６】
開閉器６０は、開閉器６０の制御信号により、開閉器６０のオン／オフを行う（Ｓ１１０）。
【０１２７】
なお、本実施の形態では、コントローラ２０が劣化判定及び組電池３４の選択処理を行ったが、これに限らない。例えば、劣化判定及び組電池３４の選択処理の少なくとも１つ以上がクラウドサーバ８０またはＢＭＵ３１で実現されてもよい。
【０１２８】
次に、図８〜図１０を用いて、本実施の形態における稼動させる組電池３４及び稼動させない組電池３４を選択する方法について説明する。具体的には、蓄電システム３０において所定の充電電力及び放電電力の少なくとも一方が得られるように、複数のグループに対する所定の優先度に基づいて、優先度の最も高いグループから順に指定される。そして、指定されたグループに属する組電池３４のうち、パラメータ情報が所定の条件を満たす組電池３４が、稼動させる組電池３４として選択される。
【０１２９】
図８は、実施の形態１における稼動させる組電池３４及び稼動させない組電池３４を選択する方法を示すフローチャートである。なお、本実施の形態では、複数の組電池３４のそれぞれのパラメータ情報のうち、ＳＯＣ、温度及び最終充電からの経過時間が所定の条件を満たす組電池３４が選択されるが、温度、ＳＯＣ、最終充電時刻及び最終放電時刻のうちの少なくとも１つが所定の条件を満たす組電池３４を稼動させる組電池３４として選択されてもよい。最終放電からの経過時刻が長い組電池３４が優先的に選択されることで、カレンダー劣化が抑制されやすくなるため、組電池３４の長寿命化が期待できる。逆に、最終放電から経過時刻が短い組電池３４が優先的に選択されることで、カレンダー劣化が大きくなるため、組電池３４は短寿命になる。なお、本実施の形態では、ＳＯＣ、温度、最終充電からの経過時間の順で組電池３４が所定の条件を満たすか判定されるが、これに限らない。例えば、温度、ＳＯＣ、最終充電からの経過時間の順で組電池３４が所定の条件を満たすか判定されてもよい。
【０１３０】
また、組電池３４を選択するための指標として温度の情報を用いられるが、例えば、複数のマンションに組電池３４が分散配置される場合に、複数のマンション毎で空調があるか否か、また、空調の制御のされ方などにより、組電池３４によって温度が異なってくる。これによって温度差が生じやすい。ここで、温度として扱われる情報としては、電池単体の温度またはパワコンなどの周辺機器を含めた温度でもよい。
【０１３１】
また、本実施の形態では、組電池３４が均等に劣化し、蓄電システム３０が長寿命の運転をできるように組電池３４が選択される。また、組電池３４の選択候補が多くなる場合には、指令値に対し、パワコン効率が高くなるような組電池が優先的に選択されてもよい。
【０１３２】
図９は、実施の形態１における組電池３４の選択を示す図である。図９では、組電池３４のＳＯＨ、ＳＯＣ、温度及び最終充電からの経過時間が示される。
【０１３３】
図１０は、実施の形態１における選択された組電池３４の放電量の割当を示す図である。図１０では、組電池３４のＳＯＨ、割当後のＳＯＣ、温度及び最大放電レートが示される。
【０１３４】
図９で示されるように、要求される充放電量に応じて組電池３４毎に生じる充放電量の違い、または、組電池３４の不良または故障による組電池３４の交換などにより、組電池３４によってＳＯＨが異なってくる。また、品種毎及びメーカ毎の電池セル特性の違いによる電池セルの劣化速度の違いもＳＯＨが異なってくる要因となる。
【０１３５】
まず、組電池３４の劣化レベルに応じて組電池３４のグルーピングが行われる（Ｓ１）。本実施の形態では、図９に示されるように、グループＡ〜Ｃに６個の組電池Ｎｏ．１〜６が劣化レベル（ＳＯＨ）に基づいてグルーピングされる。グループＡには組電池Ｎｏ．１、３及び６、グループＢには組電池Ｎｏ．２、グループＣには組電池Ｎｏ．４及び５がグルーピングされる。
【０１３６】
次に、最も劣化レベルの低いグループの組電池３４が対象とされる（Ｓ２）。本実施の形態では、グループＡが最も劣化レベルの低いグループなので、グループＡの劣化していない組電池Ｎｏ．１、３及び６がまずは対象となる。
【０１３７】
次に、同じグループでＳＯＣが相対的に高い組電池３４が稼動させる組電池３４として選択される（Ｓ３）。ＳＯＣが低い組電池３４が稼動させる組電池３４として選択されると負荷７０から要求される放電量を満たすことが困難になるため、ＳＯＣが組電池３４の選択の条件となっている。図９に示されるように、組電池Ｎｏ．１のＳＯＣが８０％、組電池Ｎｏ．３及び６のＳＯＣが７０％となっており、ＳＯＣが相対的に高い組電池Ｎｏ．１が稼動させる組電池３４として選択される。なお、ＳＯＣの下限値が設けられてもよい。例えば、ＳＯＣが所定値以下の組電池３４は、後述するステップＳ５及びステップＳ７での判定がされずに、稼動させない組電池３４と選択されてもよい。
【０１３８】
次に、稼動させる組電池３４として選択された組電池３４で負荷７０から要求される放電量を満たしているか否かが判定される（Ｓ４）。稼動させる組電池３４として選択された組電池３４で負荷７０から要求される放電量を満たしている場合には（Ｓ４でＹＥＳ）、グループＡの組電池Ｎｏ．１だけが稼動させられる。
【０１３９】
本実施の形態では、グループＡの稼動させる組電池３４として選択された組電池Ｎｏ．１で負荷７０から要求される放電量を満たさないため（Ｓ４でＮＯ）、同じグループで相対的に温度が低い組電池３４が稼動させる組電池３４として選択される（Ｓ５）。温度が高い状態で組電池３４が使用されると、組電池３４の劣化が激しくなるため温度が組電池３４の選択の条件となっている。図９に示されるように、組電池Ｎｏ．３の温度が３０度、組電池Ｎｏ．６の温度が５０度となっており、温度が相対的に低い組電池Ｎｏ．３が稼動させる組電池３４として選択される。なお、温度の上限値が設けられてもよい。例えば、温度が５０度以上の組電池３４は、後述するステップＳ７で選択されずに、稼動させない組電池３４として選択されてもよい。本実施の形態では、組電池Ｎｏ．６の温度が５０度となっており、ステップＳ５で稼動させない組電池３４として選択される。
【０１４０】
次に、稼動させる組電池３４として選択された組電池３４で負荷７０から要求される放電量を満たしているか否かが判定される（Ｓ６）。稼動させる組電池３４として選択された組電池３４で負荷７０から要求される放電量を満たしている場合には（Ｓ６でＹＥＳ）、グループＡの組電池Ｎｏ．１及び３だけが稼動させられる。
【０１４１】
本実施の形態では、グループＡの稼動させる組電池３４として選択された組電池Ｎｏ．１及び３で負荷７０から要求される放電量を満たさないため（Ｓ６でＮＯ）、同じグループで相対的に最終充電からの経過時間が長い組電池３４が稼動させる組電池３４として選択される（Ｓ７）。組電池３４の最終充電からの経過時間が長いほど、組電池３４の劣化が激しくなるため最終充電からの経過時間が組電池３４の選択の条件となっている。本実施の形態では、グループＡに属する組電池３４は、稼動させる組電池３４及び稼動させない組電池３４が全て選択されたので、ステップＳ７では組電池３４は選択されない。
【０１４２】
次に、稼動させる組電池３４として選択された組電池３４で負荷７０から要求される放電量を満たしているか否かが判定される（Ｓ８）。稼動させる組電池３４として選択された組電池３４で負荷７０から要求される放電量を満たしている場合には（Ｓ８でＹＥＳ）、グループＡの組電池Ｎｏ．１及び３だけが稼動させられる。
【０１４３】
このように、稼動させる組電池３４として選択される組電池３４の放電量を逐次、加算し、負荷７０が要求する放電量を満たしているかをステップＳ４、ステップＳ６及びステップＳ８で判定される。つまり、蓄電システム３０から負荷７０に電力が供給されているときに、最も優先度が高い第１のグループ（グループＡ）に属する組電池３４を稼動させて、蓄電システム３０から供給可能な電力が負荷７０の必要電力を満たすか否かが判断される。
【０１４４】
本実施の形態では、グループＡの稼動させる組電池３４として選択された組電池Ｎｏ．１及び３で負荷７０から要求される放電量を満たさないため（Ｓ８でＮＯ）、現在対象となっている組電池３４が属するグループが、最も劣化レベルの高いグループであるかが判定される（Ｓ９）。現在対象となっている組電池３４が属するグループは、最も劣化レベルの低いグループＡであり、最も劣化レベルの高いグループＣではないので（Ｓ９でＮＯ）、劣化レベルの次に高いグループの組電池３４が対象とされる（Ｓ１０）。
【０１４５】
本実施の形態では、グループＢの組電池Ｎｏ．２が対象となる。このように、蓄電システム３０において所定の充電電力及び放電電力の少なくとも一方が得られるまで、優先度が高い順に複数のグループに属するグループが指定される。従って、ステップＳ３、ステップＳ５及びステップＳ７においてこれまでに選択された組電池３４で放電量を満たさない場合には、対象とする組電池３４は、より劣化レベルの高いグループの組電池３４に変更される。つまり、蓄電システム３０から供給可能な電力が負荷７０の必要電力を満たさない場合は、第１のグループ（グループＡ）よりも優先度が低い第２のグループ（グループＢ）に属する組電池３４を稼動させる組電池３４として選択し、選択された第１のグループ（グループＡ）及び第２のグループ（グループＢ）に属する組電池３４を用いて電力が放電される。
【０１４６】
次に、グループＢの組電池３４についても、グループＡの組電池３４と同じように、ステップＳ３、ステップＳ５及びステップＳ７で稼動させる組電池３４及び稼動させない組電池３４を選択される。本実施の形態では、グループＢの組電池Ｎｏ．２のＳＯＣが９０％となっており、ステップＳ３において組電池Ｎｏ．２が稼動させる組電池３４として選択される。
【０１４７】
本実施の形態では、グループＢに属する組電池３４は、組電池Ｎｏ．３のみであり、組電池Ｎｏ．３が稼動させる組電池３４としてステップＳ３で選択されたので、ステップＳ５及びステップＳ７では組電池３４は選択されない。また、本実施の形態では、グループＡ及びＢの稼動させる組電池３４として選択された組電池３４で負荷７０から要求される放電量を満たさないため、再度ステップＳ９まで進み、現在対象となっている組電池３４が属するグループが、最も劣化レベルの高いグループであるかが判定される。現在対象となっている組電池３４が属するグループは、グループＢであり、最も劣化レベルの高いグループＣではないので（Ｓ９でＮＯ）、劣化レベルの次に高いグループの組電池３４が対象とされる（Ｓ１０）。本実施の形態では、グループＣの組電池Ｎｏ．４及び５が対象となる。
【０１４８】
次に、グループＣの組電池３４についても、グループＡ及びＢの組電池３４と同じように、ステップＳ３、ステップＳ５及びステップＳ７で稼動させる組電池３４及び稼動させない組電池３４を選択される。
【０１４９】
グループＣの組電池Ｎｏ．４及び５はＳＯＣが６０％と同じ値になっており、ステップＳ３において、ＳＯＣが相対的に高い組電池３４が選択されない。また、グループＣの組電池Ｎｏ．４及び５は温度が３０度と同じ値になっており、ステップＳ５においても、温度が相対的に低い組電池３４が選択されない。しかし、図９に示されるように、最終充電からの経過時間はグループＣの組電池Ｎｏ．４が１週間、組電池Ｎｏ．５が３０分となっている。従って、ステップＳ７において、同じグループで相対的に最終充電からの経過時間が長い組電池Ｎｏ．４が稼動させる組電池３４として選択される。そしてグループＡ〜Ｃの稼動させる組電池３４として選択された組電池Ｎｏ．１〜４が稼動させられる。
【０１５０】
このように、劣化レベルの低いグループから稼動させる組電池３４及び稼動させない組電池３４が選択されるので、蓄電システム３０を構成する複数の組電池３４は均等に劣化し、蓄電システム３０が長寿命の運転をすることになる。また、例えば、グループＡの組電池３４のみで、負荷７０から要求される放電量を満たすことができる場合には、組電池３４の充電電力値及び放電電力値の少なくとも一方の設定と、稼動させる個数の決定とが簡単になる。例えば、本実施の形態を例にすると、グループＡの３個の組電池３４から稼動させる組電池３４の個数が決定されればよく、充電電力値及び放電電力値の少なくとも一方の設定もグループＡの劣化レベルに応じてされればよい。
【０１５１】
例えば、図１０に示されるように、グループＡの組電池３４の最大放電レートが７Ａと決められていれば、グループＡの稼動させる組電池３４として選択された組電池Ｎｏ．１及び３に最大放電レート７Ａに応じて充電電力値及び放電電力値の少なくとも一方が設定されればよい。
【０１５２】
全てのグループの組電池３４に対して、選択処理が行われても、負荷７０から要求される放電量を満たさない場合には（Ｓ９でＹＥＳ）、電力が供給される負荷７０を開閉器６０で制御するか否か利用者は問いかけられる（Ｓ１１）。負荷７０に電力を供給しないと利用者が判定すると（Ｓ１１でＹＥＳ）、電力を供給しないと判定された負荷７０は開閉器６０で制御されることで電力が供給されない（Ｓ１３）。負荷７０から要求される放電量を満たさない場合でも、負荷７０に電力を供給すると利用者が判定すると（Ｓ１１でＮＯ）、組電池３４の選択基準が変更される（Ｓ１２）。例えば、ステップＳ３におけるＳＯＣの下限値、ステップＳ５における温度の上限値などの選択基準が変更されて、より多くの組電池３４が稼動させる組電池３４として選択されるようになる。
【０１５３】
なお、本実施の形態では、組電池３４が均等に劣化し、蓄電システム３０が長寿命の運転をできるように組電池３４が選択されるが、これに限らない。例えば、組電池３４の交換タイミングを制御でき組電池３４の交換が行いやすい短寿命の運転をできるように組電池３４が選択されてもよい。また、本実施の形態では、稼動させる組電池３４及び稼動させない組電池３４の選択は、コントローラ２０で行われたが、これに限らない。例えば、クラウドサーバ８０または蓄電システム３０で行われてもよい。
【０１５４】
グループＡ〜Ｃの稼動させる組電池３４として選択された組電池Ｎｏ．１〜４は図１０に示されるように、それぞれのグループに割り当てられた最大放電レートの範囲内で充電電力値及び放電電力値の少なくとも一方が設定される。充電電力値及び放電電力値の少なくとも一方の設定では、同じグループに属する複数の組電池３４のそれぞれの充電電力値及び放電電力値の少なくとも一方は、複数の組電池３４のＳＯＣが等しくなるように設定される。具体的には、グループＡで選択された組電池Ｎｏ．１及び３はＳＯＣが均一になるように割り当てられる。また、劣化レベルに応じて、劣化レベルの低い組電池３４ほど、大きな充電電力値及び放電電力値の少なくとも一方が設定される。劣化レベルの低い組電池３４ほど、高い放電レートが割り当てられるため、ＳＯＣの変化が大きくなる。
【０１５５】
なお、本実施の形態では、組電池３４が均等に劣化し、蓄電システム３０が長寿命の運転をできるように組電池３４の充電電力値及び放電電力値の少なくとも一方が設定されているが、これに限らない。例えば、組電池３４の交換タイミングを制御でき組電池３４の交換が行いやすい短寿命の運転をできるように充電電力値及び放電電力値の少なくとも一方が設定されてもよい。
【０１５６】
また、蓄電システム３０から負荷７０に電力が供給されているときに、負荷７０の必要電力よりも蓄電システム３０からの供給電力が小さくなる場合には、負荷７０への電力供給は停止される。
【０１５７】
また、蓄電システム３０から複数の負荷７０に電力が供給されているときに、複数の負荷７０の必要電力よりも蓄電システム３０からの供給電力が小さくなる場合には、複数の負荷７０に対して定められる優先度が低い順に複数の負荷７０に含まれる負荷７０への電力供給は停止される。
【０１５８】
また、表示装置４０は、複数のグループのうちの劣化レベルが高いグループほど、グループに属する組電池３４の充電電力値及び放電電力値の少なくとも一方を低く設定するか、または、高く設定するかの指示を受け付ける。この指示に応じて、充電電力値及び放電電力値の少なくとも一方が設定される。また、表示装置４０は、受け付けた指示に応じて設定される充電電力値及び放電電力値の少なくとも一方と、複数の組電池３４のうちの稼動させる組電池３４の個数とを表示してもよい。これにより、利用者は、設定される充電電力値及び放電電力値の少なくとも一方と、複数の組電池のうちの稼動させる組電池の個数とを知ることができる。
【０１５９】
このように、本実施の形態の蓄電システムの制御方法及び蓄電システム制御装置では、所定の優先度のグループ毎に所定の条件を満たす組電池３４が選択されるため、組電池３４の寿命を考慮した組電池３４の制御を行うことができる。
【０１６０】
（実施の形態２）
以下、図１１〜図１４を用いて、実施の形態２を説明する。
【０１６１】
図１１は、実施の形態２における分散型蓄電システム２の構成図である。分散型蓄電システム２は、分散型蓄電システム全体を対象とした充放電制御が可能なシステムである。
【０１６２】
図１１において、本実施の形態の分散型蓄電システム２は、コントローラ２０ａ、電力メータ５０ａ、ＭＢＭＵ（Ｍａｓｔｅｒ  Ｂａｔｔｅｒｙ  Ｍａｎａｇｅｍｅｎｔ  Ｕｎｉｔ）３１ａ、開閉器６０ａ及び負荷７０ａを備える点が、実施の形態１の分散型蓄電システム１と異なる。それ以外の構成要素は実施の形態１の分散型蓄電システム１と同じであるため、同じ符号をつけて説明は省略する。
【０１６３】
ＭＢＭＵ（Ｍａｓｔｅｒ  Ｂａｔｔｅｒｙ  Ｍａｎａｇｅｍｅｎｔ  Ｕｎｉｔ）３１ａは、複数の蓄電システム３０を統合的に制御する。つまり、実施の形態１においてＢＭＵ３１が複数の組電池３４を制御したように、本実施の形態では、ＭＢＭＵ３１ａが、複数の蓄電システム３０を制御する。
【０１６４】
コントローラ２０ａは、電力メータ５０ａ及び開閉器６０ａを制御する。
【０１６５】
電力メータ５０ａは、複数の蓄電システム３０からの電力供給量が不足しているか否かを計測する。複数の蓄電システム３０からの電力供給量が不足する場合は、コントローラ２０ａは、開閉器６０ａを制御することで、電力が供給される負荷７０ａを限定する。
【０１６６】
開閉器６０ａは、停電時または電力逼迫時に複数の蓄電システム３０から負荷７０ａに電力供給を行うか否かを制御される。
【０１６７】
負荷７０ａは、平常時には電力系統１１０から電力が供給され、停電時または電力逼迫時には複数の蓄電システム３０から電力が供給される。
【０１６８】
図１２は、実施の形態２におけるＭＢＭＵ３１ａに制御される複数の蓄電システム３０を示す図である。
【０１６９】
図１２では、各蓄電システム３０の例えばＳＯＨの値で各蓄電システム３０は劣化レベルによるグルーピングが行われる。図１２では、例えばＡ〜Ｃの３つのグループに各蓄電システム３０はグルーピングされる。なお、本実施の形態ではＳＯＨが用いられるが、ＳＯＨと対応付けられて算出される内部抵抗が用いられてもよく、内部抵抗が大きいほどＳＯＨが小さく蓄電システム３０の劣化は大きく、内部抵抗が小さいほどＳＯＨが大きく蓄電システム３０の劣化は小さい。なお、蓄電システム３０の劣化レベルは、蓄電システム３０が備える組電池３４の劣化レベルの平均としてもよい。また、蓄電システム３０の劣化レベルは、蓄電システム３０が備える組電池３４のうちの最も劣化が大きい組電池３４の劣化レベルとしてもよい。
【０１７０】
図１３は、実施の形態２におけるクラウドサーバ８０の制御部８１の機能ブロック図である。
【０１７１】
本実施の形態では、クラウドサーバ８０の制御部８１は、第１パラメータ取得部２４ａ、第１劣化判定部２５ａ及び第１制御部２６ａを備える。
【０１７２】
第１パラメータ取得部２４ａは、複数の蓄電システム３０から複数の蓄電システム３０のそれぞれの状態を示すパラメータ情報を取得する。複数の蓄電システム３０のそれぞれの状態を示すパラメータ情報とは、例えば、複数の蓄電システム３０のそれぞれの電流、電圧、温度、ＳＯＣ及び最終充電からの時間のことである。なお、第１パラメータ取得部２４ａは、パラメータ情報としてＳＯＨを取得してもよい。
【０１７３】
第１劣化判定部２５ａは、第１パラメータ取得部２４ａが取得したパラメータ情報を用いて複数の蓄電システム３０のそれぞれの劣化レベルを判定する。つまり、第１劣化判定部２５ａは、内部抵抗及びＳＯＨを第１パラメータ取得部２４ａが取得した複数の蓄電システム３０のそれぞれの電流、電圧、温度から算出する。第１劣化判定部２５ａは、第１パラメータ取得部２４ａが取得した蓄電システム３０の電流、電圧及び温度を用いて、複数の蓄電システム３０のそれぞれの劣化レベルとしてＳＯＨ、電圧、温度及び内部抵抗のうちの１つ以上を判定する。本実施の形態では、蓄電システム３０の劣化レベルはＳＯＨで表現される。また、第１劣化判定部２５ａは、判定した劣化レベルに基づいて、複数の蓄電システム３０を複数の劣化レベルに対応する複数のグループにグルーピングする。
【０１７４】
第１制御部２６ａは、複数のグループに対して定められる、劣化レベルに応じた優先度が高い順に指定する。そして、第１制御部２６ａは、指定されたグループに属する蓄電システム３０のうち、パラメータ情報が所定の条件を満たす蓄電システム３０を、充電及び放電の少なくとも一方のために稼動させる蓄電システム３０として選択する。また、第１制御部２６ａは、稼動させる蓄電システム３０として選択された蓄電システム３０に対して充電電力値及び放電電力値の少なくとも一方を設定する。充電電力値及び放電電力値の少なくとも一方の設定では、稼動させる蓄電システム３０として選択された蓄電システム３０が属するグループにおいて、優先度の高いグループに属する蓄電システム３０ほど充電電力値及び放電電力値の少なくとも一方が高く設定される。
【０１７５】
なお、本実施の形態では、第１パラメータ取得部２４ａ、第１劣化判定部２５ａ及び第１制御部２６ａはクラウドサーバ８０に構成されるが、これに限らない。例えば、第１パラメータ取得部２４ａ、第１劣化判定部２５ａ及び第１制御部２６ａはコントローラ２０ａまたはＭＢＭＵ３１ａに構成されてもよい。
【０１７６】
次に、図１１及び図１２のように構成された本実施の形態における分散型蓄電システム２の動作について説明する。
【０１７７】
図１４は、実施の形態２における全体の処理の流れを示すシーケンス図である。
【０１７８】
まず、蓄電システム３０のＢＭＵ３１は、複数の組電池３４から複数の組電池３４のそれぞれの状態を示すパラメータ情報を取得する。具体的には、ＢＭＵ３１は、複数の組電池３４のそれぞれの電流、電圧、温度、ＳＯＣ及び最終充電からの時間に関する情報を取得する。なお、ＢＭＵ３１は、複数の組電池３４のそれぞれの電流、電圧、温度からＳＯＨを算出してもよい。
【０１７９】
ＢＭＵ３１は、複数の組電池３４のそれぞれのパラメータ情報を蓄電システム３０のパラメータ情報としてＭＢＭＵ３１ａに送信する（Ｓ１２０）。
【０１８０】
ＭＢＭＵ３１ａは、複数の蓄電システム３０のＢＭＵ３１から受信した複数の蓄電システム３０のパラメータ情報をクラウドサーバ８０に送信する（Ｓ１２１）。
【０１８１】
クラウドサーバ８０の第１パラメータ取得部２４ａは、複数の蓄電システム３０から検出された複数の蓄電システム３０のそれぞれの状態を示すパラメータ情報を取得する。クラウドサーバ８０の第１劣化判定部２５ａは、第１パラメータ取得部２４ａが取得したパラメータ情報を用いて複数の蓄電システム３０のそれぞれの劣化レベルを判定する。そして、第１劣化判定部２５ａは、判定した劣化レベルに基づいて、複数の蓄電システム３０を複数の劣化レベルに対応する複数のグループにグルーピングする（Ｓ１２２）。
【０１８２】
次に、ステップＳ１２３では以下の処理が行われる。クラウドサーバ８０の第１制御部２６ａは、複数のグループに対して定められる、劣化レベルに応じた優先度が高い順にグループを指定する。そして、第１制御部２６ａは、指定されたグループに属する複数の蓄電システム３０のうち、パラメータ情報が所定の条件を満たす蓄電システム３０を、充電及び放電の少なくとも一方のために稼動させる蓄電システム３０として選択する。さらに、第１制御部２６ａは、稼動させる蓄電システム３０として選択された蓄電システム３０に対して充電電力値及び放電電力値の少なくとも一方を設定する。充電電力値及び放電電力値の少なくとも一方の設定では、稼動させる蓄電システム３０として選択された蓄電システム３０が属するグループにおいて、優先度の高いグループに属する蓄電システム３０ほど充電電力値及び放電電力値の少なくとも一方が高く設定される。具体的には、後述する図１５に示されるフローチャートで説明する。なお、充電電力値及び放電電力値の少なくとも一方の設定では、同じグループに属する複数の蓄電システム３０のそれぞれの充電電力値及び放電電力値の少なくとも一方は、複数の蓄電システム３０のＳＯＣが等しくなるように設定される。
【０１８３】
また、第１制御部２６ａは、稼動させる蓄電システム３０として選択した蓄電システム３０へ設定された充電電力値及び放電電力値の少なくとも一方に基づき稼動させるために、ＭＢＭＵ３１ａに蓄電システム３０の制御信号を送信する（Ｓ１２４）。
【０１８４】
ＭＢＭＵ３１ａは、設定された充電電力値及び放電電力値の少なくとも一方に基づき、蓄電システム３０の充放電量の制御を行う（Ｓ１２５）。
【０１８５】
ＢＭＵ３１は、設定された充電電力値及び放電電力値の少なくとも一方に基づき、複数の組電池３４の充放電量の制御を行う（Ｓ１２６）。
【０１８６】
クラウドサーバ８０は、得られた蓄電システム３０のパラメータ情報を管理室９０のＰＣのモニターで表示できるように整形を行い、整形したデータを管理室９０に送信する（Ｓ１２７）。
【０１８７】
コントローラ２０ａは、複数の蓄電システム３０から負荷７０ａへの供給電力が不足する場合には、開閉器６０ａを制御することで、複数の蓄電システム３０からの電力供給量を抑制する。コントローラ２０ａは、安全性の確保を行うために、管理室９０に対して、コントローラ２０ａが実行しようとしている開閉器６０ａの制御の可否を通知する（Ｓ１２８）。
【０１８８】
管理室９０は、複数の蓄電システム３０の稼働状況に関する情報とコントローラ２０ａが実行しようとしている開閉器６０ａの制御とから安全性が確保されるようにコントローラ２０ａに開閉器６０ａの制御信号を送信する（Ｓ１２９）。
【０１８９】
コントローラ２０ａは、管理室９０からの指示に従い開閉器６０ａの制御信号を開閉器６０ａに送信する（Ｓ１３０）。
【０１９０】
開閉器６０ａは、開閉器６０ａの制御信号により、開閉器６０ａのオン／オフを行う（Ｓ１３１）。
【０１９１】
なお、本実施の形態では、クラウドサーバ８０が劣化判定及び蓄電システム３０の選択処理を行ったが、これに限らない。例えば、劣化判定及び蓄電システム３０の選択処理の少なくとも１つ以上がコントローラ２０ａ、ＭＢＭＵ３１ａ（なお、ＭＢＭＵ３１ａを複数備える構成であってもよい）または各ＢＭＵ３１で実現されてもよい。
【０１９２】
また、パワコン性能特性（一般的に放電量が小さければ、パワコンからの出力効率は低くなる）から、放電量の単位を定義して、放電量の単位で放電できる蓄電システム３０を優先的に選択してもよい。
【０１９３】
次に、図１５を用いて、本実施の形態における稼動させる蓄電システム３０及び稼動させない蓄電システム３０を選択する方法について説明する。具体的には、複数の蓄電システム３０全体において所定の充電電力及び放電電力の少なくとも一方が得られるように、複数のグループに対する所定の優先度に基づいて、優先度の最も高いグループから順に指定される。指定されたグループに属する蓄電システム３０のうち、パラメータ情報が所定の条件を満たす蓄電システム３０が、稼動させる蓄電システム３０として選択される。
【０１９４】
図１５は、実施の形態２における稼動させる蓄電システム３０及び稼動させない蓄電システム３０を選択する方法を示すフローチャートである。なお、本実施の形態では、複数の蓄電システム３０のそれぞれのパラメータ情報のうち、ＳＯＣ、温度及び最終充電からの経過時間が所定の条件を満たす蓄電システム３０が選択されるが、温度、ＳＯＣ、最終充電時刻及び最終放電時刻のうちの少なくとも１つが所定の条件を満たす蓄電システム３０を稼動させる蓄電システム３０として選択されればよい。最終放電からの経過時刻が長い蓄電システム３０が優先的に選択されることで、カレンダー劣化が抑制されやすくなるため、蓄電システム３０の長寿命化が期待できる。逆に、最終放電から経過時刻が短い蓄電システム３０が優先的に選択されることで、カレンダー劣化が大きくなるため、蓄電システム３０は短寿命になる。なお、本実施の形態では、ＳＯＣ、温度、最終充電からの経過時間の順で蓄電システム３０が所定の条件を満たすか判定されるが、これに限らない。例えば、温度、ＳＯＣ、最終充電からの経過時間の順で蓄電システム３０が所定の条件を満たすか判定されてもよい。
【０１９５】
また、本実施の形態では、蓄電システム３０の交換タイミングを制御でき蓄電システム３０の交換が行いやすい短寿命の運転をできるように蓄電システム３０が選択される。
【０１９６】
まず、蓄電システム３０の劣化レベルに応じて蓄電システム３０のグルーピングが行われる（Ｓ２１）。
【０１９７】
次に、最も劣化レベルの高いグループの蓄電システム３０が対象とされる（Ｓ２２）。
【０１９８】
次に、同じグループでＳＯＣが相対的に高い蓄電システム３０が稼動させる蓄電システム３０として選択される（Ｓ２３）。ＳＯＣが低い蓄電システム３０が稼動させる蓄電システム３０として選択されると負荷７０ａから要求される放電量を満たすことが困難になるため、ＳＯＣが蓄電システム３０の選択の条件となっている。なお、ＳＯＣの下限値が設けられてもよい。
【０１９９】
次に、対象とされる蓄電システム３０の属するグループにおいて稼動させる蓄電システム３０として選択された蓄電システム３０で負荷７０ａから要求される放電量を満たしているか否かが判定される（Ｓ２４）。
【０２００】
対象とされる蓄電システム３０の属するグループにおいて稼動させる蓄電システム３０として選択された蓄電システム３０で負荷７０ａから要求される放電量を満たさない場合（Ｓ２４でＮＯ）、同じグループで相対的に温度が高い蓄電システム３０が稼動させる蓄電システム３０として選択される（Ｓ２５）。温度が高い状態で蓄電システム３０が使用されると、蓄電システム３０の劣化が激しくなるため温度が蓄電システム３０の選択の条件となっている。なお、温度の上限値が設けられてもよい。例えば、温度が所定以上の蓄電システム３０は、後述するステップＳ２７で選択されずに、稼動させない蓄電システム３０として選択されてもよい。
【０２０１】
次に、対象とされる蓄電システム３０の属するグループにおいて稼動させる蓄電システム３０として選択された蓄電システム３０で負荷７０ａから要求される放電量を満たしているか否かが判定される（Ｓ２６）。
【０２０２】
対象とされる蓄電システム３０の属するグループにおいて稼動させる蓄電システム３０として選択された蓄電システム３０で負荷７０ａから要求される放電量を満たさない場合（Ｓ２６でＮＯ）、同じグループで、相対的に最終充電からの経過時間が短い蓄電システム３０が稼動させる蓄電システム３０として選択される（Ｓ２７）。蓄電システム３０の最終充電からの経過時間が長いほど、蓄電システム３０の劣化が激しくなるため最終充電からの経過時間が蓄電システム３０の選択の条件となっている。
【０２０３】
次に、対象とされる蓄電システム３０の属するグループにおいて稼動させる蓄電システム３０として選択された蓄電システム３０で負荷７０ａから要求される放電量を満たしているか否かが判定される（Ｓ２８）。
【０２０４】
このように、稼動させる蓄電システム３０として選択される蓄電システム３０の放電量を逐次、加算し、負荷７０ａが要求する放電量を満たしているかをステップＳ２４、ステップＳ２６及びステップＳ２８で判定される。
【０２０５】
対象とされる蓄電システム３０の属するグループにおいて稼動させる蓄電システム３０として選択された蓄電システム３０で負荷７０ａから要求される放電量を満たさない場合（Ｓ２８でＮＯ）、現在対象となっている蓄電システム３０が属するグループが、最も劣化レベルの低いグループであるかが判定される（Ｓ２９）。現在対象となっている蓄電システム３０が属するグループが、最も劣化レベルの低いグループである場合（Ｓ２９でＮＯ）、劣化レベルの次に低いグループの蓄電システム３０が対象とされる（Ｓ３０）。このように、複数の蓄電システム３０全体において所定の充電電力及び放電電力の少なくとも一方が得られるまで、優先度が高い順に複数のグループに含まれるグループが指定される。つまり、ステップＳ２３、ステップＳ２５及びステップＳ２７においてこれまでに選択された蓄電システム３０で放電量を満たさない場合には、対象とする蓄電システム３０は、より劣化レベルの低いグループの蓄電システム３０に変更される。
【０２０６】
全てのグループの蓄電システム３０に対して、選択処理が行われても、負荷７０ａから要求される放電量を満たさない場合には（Ｓ２９でＹＥＳ）、電力が供給される負荷７０ａを開閉器６０ａで制御するか否か利用者は問いかけられる（Ｓ３１）。負荷７０ａに電力を供給しないと利用者が判定すると（Ｓ３１でＹＥＳ）、電力を供給しないと判定された負荷７０ａは開閉器６０ａで制御されることで電力が供給されない（Ｓ３３）。負荷７０ａから要求される放電量を満たさない場合でも、負荷７０ａに電力を供給すると利用者が判定すると（Ｓ３１でＮＯ）、蓄電システム３０の選択基準が変更される（Ｓ３２）。例えば、ステップＳ２３におけるＳＯＣの下限値、ステップＳ２５における温度の上限値などの選択基準が変更されて、より多くの蓄電システム３０が稼動させる蓄電システム３０として選択されるようになる。
【０２０７】
なお、本実施の形態では、蓄電システム３０の交換タイミングを制御でき蓄電システム３０の交換が行いやすい短寿命の運転をできるように蓄電システム３０が選択されるが、これに限らない。例えば、蓄電システム３０が均等に劣化し、複数の蓄電システム３０全体が長寿命の運転をできるように蓄電システム３０が選択されてもよい。また、本実施の形態では、蓄電システム３０の交換タイミングを制御でき蓄電システム３０の交換が行いやすい短寿命の運転をできるように充電電力値及び放電電力値の少なくとも一方が設定されているが、これに限らない。例えば、蓄電システム３０が均等に劣化し、複数の蓄電システム３０全体が長寿命の運転をできるよう蓄電システム３０の充電電力値及び放電電力値の少なくとも一方が設定されてもよい。
【０２０８】
本実施の形態では、特定の蓄電システム３０が短寿命になるように蓄電システム３０を動作させることで、特定の蓄電システム３０に劣化が集中し組電池３４の交換が行いやすくなる。また、蓄電システム３０は、短寿命の運転をできるように選択されるようにし、複数の蓄電システム３０を構成する組電池３４は、長寿命の運転をできるように選択されるようにすることで、特定の劣化した蓄電システム３０を構成する組電池３４を丸ごと交換することが容易になる。なお、蓄電システム３０単位及び組電池３４単位の長寿命または短寿命の選択の組み合わせは、任意の組み合わせで行ってもよい。また、異常時には、劣化診断の停止、劣化の高い順に管理者に通知または蓄電システム３０毎の担当者に通知を行うことで、蓄電システム３０の大規模化への対応が容易になる。
【０２０９】
なお、複数の蓄電システム３０全体において所定の充電電力及び放電電力の少なくとも一方が得られるように、複数の蓄電システム３０において負荷７０ａとして含まれるバックアップ用の蓄電システム３０をバックアップ用の蓄電システム３０の最大稼働率の範囲内で稼動させてもよい。
【０２１０】
また、複数の蓄電システム３０全体において所定の充電電力及び放電電力の少なくとも一方が得られない場合に、複数の蓄電システム３０全体において所定の充電電力及び放電電力の少なくとも一方が得られるように、バックアップ用の蓄電システム３０の最大稼働率を変更してもよい。
【０２１１】
また、蓄電システム３０を構成する組電池３４単位で劣化レベルに応じた電力供給、または、蓄電システム３０単位で劣化レベルに応じた電力供給が行われるように、スイッチなどでハードウェア構成を実現してもよい。
【０２１２】
このように、本実施の形態の蓄電システムの制御方法及び蓄電システム制御装置では、所定の優先度のグループ毎に所定の条件を満たす蓄電システム３０が選択されるため、蓄電システム３０の寿命を考慮した蓄電システム３０の制御を行うことができる。
【０２１３】
次に、実施の形態１及び２において、蓄電システム３０から負荷７０または７０ａに電力が供給されているときに、蓄電システム３０が備える複数の組電池３４のうちの稼動している少なくとも１つの組電池３４の劣化レベルが所定の閾値を超える場合の動作について説明する。
【０２１４】
図１６は、負荷による調整の例について示す図である。図１６に示される表示画面は、表示装置４０の表示画面の一例である。また、図１６では、実施の形態１における負荷７０による調整の例について示される。
【０２１５】
図１６では、蓄電システム３０から負荷７０に電力が供給されているときに、蓄電システム３０が備える複数の組電池３４のうちの稼動している少なくとも１つの組電池３４の劣化レベルが所定の閾値を超える場合に、少なくとも１つの組電池３４の劣化レベルが所定の閾値を超えたことが報知される。図１６では、組電池Ａが劣化していると検出され、表示装置４０は、利用者から蓄電システム３０から負荷７０への電力供給を継続するか、または、停止するかの指示を受け付ける。そして、受け付けた指示に応じて、蓄電システム３０から負荷７０への電力供給は継続または停止される。図１６では、電力供給は停止されるので、蓄電システム３０に接続されている負荷７０のリストが表示され、蓄電システム３０の長寿命化を図るために、電力供給を遮断してもよい負荷を選択させる。図１６では、照明への電力供給が停止される。なお、利用者への提示方法としては、予め利用者に負荷７０の優先度を付与させておき、蓄電システム３０からの供給電力が満たすように、優先度が低い負荷７０から順に電力供給を開閉器で抑制してもよい。
【０２１６】
また、蓄電システム３０から負荷７０への電力供給が継続される場合には、複数の組電池３４の充電電力値及び放電電力値の少なくとも一方の設定は維持される、または、劣化レベルが所定の閾値を超えた少なくとも１つの組電池３４の充電電力値及び放電電力値の少なくとも一方が低く設定され、複数の組電池３４のうちの劣化レベルが所定の閾値を超えない組電池３４の充電電力値及び放電電力値の少なくとも一方が高く設定される。つまり、組電池３４に無理をさせることで、蓄電システム３０から負荷７０への電力供給が継続される。
【０２１７】
本開示では、放電を中心に説明したが、使用するアプリケーションに応じて、使用する組電池３４の上限のＳＯＣまたは下限のＳＯＣと蓄電期間（例えば、数時間、数日、数週間または数ヶ月）とを制限することで、蓄電システム３０または組電池３４に対して、不必要な充電状態を保つことを抑制することが可能となる。また、急激な蓄電システム３０からの放電による蓄電システム３０の劣化を抑制することが可能となる。ここで、使用するアプリケーションとは、デマンドレスポンス（電力会社が９７％の供給能力を超えた場合に放電）、予備力（電力会社が１００％の供給能力を超えた場合に放電）、ピークカット／ピークシフトまたは停電時の電力バックアップのことである。また、充電の場合においても、長寿命の運転または短寿命の運転ができるように、蓄電システム３０または組電池３４の蓄電量または蓄電期間が決定されてもよい。長寿命の運転ができるようにする場合には、劣化が低い蓄電システム３０または組電池３４に対して、より多くの充電量で、より長い蓄電期間が設定される。短寿命の運転ができるようにする場合には、劣化が高い蓄電システム３０または組電池３４に対して、より多くの充電量で、より長い蓄電期間が設定される。
【０２１８】
また、組電池３４の数が多くなると待機する組電池３４の数が増え、組電池３４はカレンダー劣化の影響を受けやすい（一般に、サイクル劣化よりもカレンダー劣化による電池劣化の影響が大きい）。このため、各組電池３４の放電量を低く抑えて、組電池３４の稼働率を高めることで、組電池３４のカレンダー劣化の影響は抑えられる。また、電力の需要を予測して必要な充電量を確保できていることを確認し、各組電池３４のＳＯＣの値を低く等しく維持する（例えば、充電時の各蓄電システム３０や各組電池３４のＳＯＣを、カレンダー劣化の影響が小さい５０％程度に保つ）ように充放電量を管理することで、蓄電システム３０の劣化は抑制されやすくなる。具体的には、温度に関わる情報だけではなく、ＳＯＣ、最終充電時刻及び最終放電時刻を用いて、各蓄電システム３０及び各組電池３４の充放電量を決定して、蓄電システム３０及び組電池３４のＳＯＣの値が均一になるように制御することで蓄電システム３０及び組電池３４の劣化の抑制は実現される。なお、ここでは、カレンダー劣化がサイクル劣化よりも大きい特性の電池について説明を行ったが、カレンダー劣化の影響が小さい場合には、必ずしも放電量を低く保つ必要はない。また、ＳＯＣの値が大きい場合（例えば、ＳＯＣの値が８０％を超える場合）、または、ＳＯＣの値が小さい場合（例えば、ＳＯＣの値が２０％を下回る場合）には、サイクル劣化の影響が大きくなりやすくなる。従って、システム的に充放電を行わないように制御することで、蓄電システム３０及び組電池３４の劣化の抑制が期待できる。
【０２１９】
なお、蓄電システムの制御方法は、プログラムとしてコンピュータによって実行されてもよい。また、蓄電システム制御装置の各構成要素は汎用または専用の回路で実装されてもよい。
【０２２０】
以上、一つまたは複数の態様に係る蓄電システムの制御方法及び蓄電システム制御装置について、実施の形態に基づいて説明したが、本開示は、この実施の形態に限定されるものではない。本開示の趣旨を逸脱しない限り、当業者が思いつく各種変形を実施の形態に施したものや、異なる実施の形態における構成要素を組み合わせて構築される形態も、一つまたは複数の態様の範囲内に含まれてもよい。
【産業上の利用可能性】
【０２２１】
蓄電システムから負荷群へ電力供給を行う様々なシステムに適用可能である。例えば、蓄電システムを電源として備えた集合住宅、コミュニティ、一般家庭、工場、電力会社または電力アグリゲータなどへの利用が考えられる。
【符号の説明】
【０２２２】
１、２    分散型蓄電システム
１０    需要家
２０、２０ａ    コントローラ
２１、８１    制御部
２２、３２、８２    通信部
２３、３３、８３    メモリ
２４    第２パラメータ取得部
２４ａ    第１パラメータ取得部
２５    第２劣化判定部
２５ａ    第１劣化判定部
２６    第２制御部
２６ａ    第１制御部
２７    消費電力取得部
２８    開閉器制御部
３０    蓄電システム
３１    ＢＭＵ
３１ａ    ＭＢＭＵ
３４    組電池
３５    パラメータ検出部
３６    パラメータ送信部
３７    制御信号取得部
３８    第３制御部
４０    表示装置
４１    表示データ生成部
４２    表示データ送信部
５０、５０ａ    電力メータ
６０、６０ａ    開閉器
７０、７０ａ    負荷
８０    クラウドサーバ
８４    稼働状況取得部
８５    表示データ生成部
８６    表示データ送信部
９０    管理室
１００    メンテナンス会社
１１０    電力系統
【図１】
2016077139.tif 000003
【図２】
2016077139.tif 000004
【図３】
2016077139.tif 000005
【図４Ａ】
2016077139.tif 000006
【図４Ｂ】
2016077139.tif 000007
【図４Ｃ】
2016077139.tif 000008
【図５】
2016077139.tif 000009
【図６】
2016077139.tif 000010
【図７】
2016077139.tif 000011
【図８】
2016077139.tif 000012
【図９】
2016077139.tif 000013
【図１０】
2016077139.tif 000014
【図１１】
2016077139.tif 000015
【図１２】
2016077139.tif 000016
【図１３】
2016077139.tif 000017
【図１４】
2016077139.tif 000018
【図１５】
2016077139.tif 000019
【図１６】
2016077139.tif 000020